(57)【特許請求の範囲】
【請求項１】
電池を電源とし、カラーデータで構成されたカラードキュメントをカラー印刷データとして画像形成装置に送信し、前記画像形成装置によって前記カラー印刷データの印刷を実行させる携帯端末であって、
前記電池の電池残量を検出する電池残量検出手段と、
前記カラー印刷データをモノクロデータに変換してモノクロ印刷データを生成するデータ変換手段と、
前記電池残量検出手段によって検出された前記電池残量と前記カラー印刷データのデータ量とに基づいて前記カラー印刷データの送信を完了できないと判断すると、前記データ変換手段によって前記カラー印刷データをモノクロデータに変換して前記モノクロ印刷データを生成させ、生成された前記モノクロ印刷データを前記画像形成装置に送信する遠隔操作処理手段と、
前記カラー印刷データの送信が完了できないと判断された場合に、カラー優先モードでのモノクロデータへの変更許可を受け付けるデータ量削減案内を表示する操作手段を具備し、
前記遠隔操作処理手段は、前記操作手段によって前記カラー優先モードでのモノクロデータへの変更許可を受け付けると、前記カラー優先モードであることを知らせるカラー優先通知を前記画像形成装置に送信すると共に、前記データ変換手段によって生成された前記モノクロ印刷データを前記画像形成装置に送信し、前記モノクロ印刷データの送信が終了すると、変換前の前記カラー印刷データを１頁ずつ画像形成装置に送信し、前記画像形成装置によって前記カラー印刷データが存在する頁についてはカラーで印刷させ、前記モノクロ印刷データのみ存在する頁についてはモノクロで印刷させることを特徴とする携帯端末。
【請求項２】
電池を電源とし、カラーデータで構成されたカラードキュメントをカラー印刷データとして画像形成装置に送信し、前記画像形成装置によって前記カラー印刷データの印刷を実行させる携帯端末であって、
前記電池の電池残量を検出する電池残量検出手段と、
前記カラー印刷データをモノクロデータに変換してモノクロ印刷データを生成するデータ変換手段と、
前記電池残量検出手段によって検出された前記電池残量と前記カラー印刷データのデータ量とに基づいて前記カラー印刷データの送信を完了できないと判断すると、前記データ変換手段によって前記カラー印刷データをモノクロデータに変換して前記モノクロ印刷データを生成させ、生成された前記モノクロ印刷データを前記画像形成装置に送信する遠隔操作処理手段とを具備し、
前記遠隔操作処理手段は、前記カラー印刷データの送信中に、前記電池残量と残りの前記カラー印刷データのデータ量とに基づいて前記カラー印刷データの送信を完了できないと判断すると、前記データ変換手段によって前記カラー印刷データをモノクロデータに変換して前記モノクロ印刷データを生成させ、生成された前記モノクロ印刷データを前記画像形成装置に送信することを特徴とする携帯端末。
【請求項３】
前記遠隔操作処理手段は、前記カラー印刷データの送信中に前記カラー印刷データの送信を完了できないと判断すると、カラー優先モードであることを知らせるカラー優先通知を前記画像形成装置に送信し、前記モノクロ印刷データの送信が終了すると、残りの前記カラー印刷データを１頁ずつ画像形成装置に送信し、前記画像形成装置によって前記カラー印刷データが存在する頁についてはカラーで印刷させ、前記モノクロ印刷データのみ存在する頁についてはモノクロで印刷させることを特徴とする請求項２記載の携帯端末。
【請求項４】
電池を電源とする携帯端末に、カラーデータで構成されたカラードキュメントをカラー印刷データとして画像形成装置に送信させ、前記画像形成装置によって前記カラー印刷データを印刷させる遠隔操作処理を実行させる制御プログラムであって、
前記電池の電池残量を検出し、検出した前記電池残量と前記カラー印刷データのデータ量とに基づいて前記カラー印刷データの送信を完了できないと判断すると、操作手段にカラー優先モードでのモノクロデータへの変更許可を受け付けるデータ量削減案内を表示し、
前記操作手段によって前記カラー優先モードでのモノクロデータへの変更許可を受け付けると、前記遠隔操作処理として、前記カラー優先モードであることを知らせるカラー優先通知を前記画像形成装置に送信させると共に、前記カラー印刷データをモノクロデータに変換したモノクロ印刷データを前記画像形成装置に送信させ、前記モノクロ印刷データの送信が終了すると、変換前の前記カラー印刷データを１頁ずつ画像形成装置に送信させ、前記画像形成装置によって前記カラー印刷データが存在する頁についてはカラーで印刷させ、前記モノクロ印刷データのみ存在する頁についてはモノクロで印刷させることを特徴とする制御プログラム。
【請求項５】
電池を電源とする携帯端末に、カラーデータで構成されたカラードキュメントをカラー印刷データとして画像形成装置に送信させ、前記画像形成装置によって前記カラー印刷データを印刷させる遠隔操作処理を実行させる制御プログラムであって、
前記電池の電池残量を検出し、検出した前記電池残量と前記カラー印刷データのデータ量とに基づいて前記カラー印刷データの送信を完了できないと判断すると、前記遠隔操作処理として、前記カラー印刷データをモノクロデータに変換したモノクロ印刷データを生成させ、生成された前記モノクロ印刷データを前記画像形成装置に送信させると共に、
前記カラー印刷データの送信中に、前記電池残量と残りの前記カラー印刷データのデータ量とに基づいて前記カラー印刷データの送信を完了できないと判断すると、前記遠隔操作処理として、前記カラー印刷データをモノクロデータに変換して前記モノクロ印刷データを生成させ、生成された前記モノクロ印刷データを前記画像形成装置に送信させることを特徴とする制御プログラム。
【請求項６】
前記カラー印刷データの送信中に前記カラー印刷データの送信を完了できないと判断すると、前記遠隔操作処理として、カラー優先モードであることを知らせるカラー優先通知を前記画像形成装置に送信させ、前記モノクロ印刷データの送信が終了すると、残りの前記カラー印刷データを１頁ずつ画像形成装置に送信させ、前記画像形成装置によって前記カラー印刷データが存在する頁についてはカラーで印刷させ、前記モノクロ印刷データのみ存在する頁についてはモノクロで印刷させることを特徴とする請求項５記載の制御プログラム。
【発明の詳細な説明】
【技術分野】
【０００１】
本発明は、画像形成装置を操作可能な携帯端末及び制御プログラムに関する。
【背景技術】
【０００２】
近年、スマートフォンやタブレット端末等の携帯端末を用いて、プリンター、複写機、ＭＦＰ（Multifunction Peripheral/Printer/Product）等の画像形成装置を操作する技術が知られている。ユーザーは、携帯端末に表示された操作画面上で、蓄積されているドキュメント（文書データや画像データ）を指定して印刷指示を行う。これにより、指定されたドキュメントが印刷データとして携帯端末から画像形成装置に送信され、画像形成装置で印刷が実行される。
【０００３】
携帯端末は、ＡＣ電源を持たず充電式の電源である電池を備えているのが一般的である。そこで、携帯端末の印刷処理を優先する事で印刷処理待ちの発生に起因する携帯端末の電池消費を削減する技術が提案されている（例えば、特許文献１を参照）。
【先行技術文献】
【特許文献】
【０００４】
【特許文献１】特開２００７−１０６０３７号公報
【発明の概要】
【発明が解決しようとする課題】
【０００５】
しかしながら、従来技術のように、携帯端末の印刷処理を優先したとしても、印刷データの送信中に携帯端末が電池切れになると、全ての印刷データの送信が完了せず、印刷不可となってしまうという問題があった。
【０００６】
本発明は上記課題に鑑みてなされたものであり、印刷データの送信中における電池切れリスクを低減させることができる携帯端末及びプログラムを提供することを目的とする。
【課題を解決するための手段】
【０００７】
本発明の携帯端末は、電池を電源とし、カラーデータで構成されたカラードキュメントをカラー印刷データとして画像形成装置に送信し、前記画像形成装置によって前記カラー印刷データの印刷を実行させる携帯端末であって、前記電池の電池残量を検出する電池残量検出手段と、前記カラー印刷データをモノクロデータに変換してモノクロ印刷データを生成するデータ変換手段と、前記電池残量検出手段によって検出された前記電池残量と前記カラー印刷データのデータ量とに基づいて前記カラー印刷データの送信を完了できないと判断すると、前記データ変換手段によって前記カラー印刷データをモノクロデータに変換して前記モノクロ印刷データを生成させ、生成された前記モノクロ印刷データを前記画像形成装置に送信する遠隔操作処理手段と、前記カラー印刷データの送信が完了できないと判断された場合に、カラー優先モードでのモノクロデータへの変更許可を受け付けるデータ量削減案内を表示する操作手段を具備し、前記遠隔操作処理手段は、前記操作手段によって前記カラー優先モードでのモノクロデータへの変更許可を受け付けると、前記カラー優先モードであることを知らせるカラー優先通知を前記画像形成装置に送信すると共に、前記データ変換手段によって生成された前記モノクロ印刷データを前記画像形成装置に送信し、前記モノクロ印刷データの送信が終了すると、変換前の前記カラー印刷データを１頁ずつ画像形成装置に送信し、前記画像形成装置によって前記カラー印刷データが存在する頁についてはカラーで印刷させ、前記モノクロ印刷データのみ存在する頁についてはモノクロで印刷させることを特徴とする。
また、本発明の携帯端末は、電池を電源とし、カラーデータで構成されたカラードキュメントをカラー印刷データとして画像形成装置に送信し、前記画像形成装置によって前記カラー印刷データの印刷を実行させる携帯端末であって、前記電池の電池残量を検出する電池残量検出手段と、前記カラー印刷データをモノクロデータに変換してモノクロ印刷データを生成するデータ変換手段と、前記電池残量検出手段によって検出された前記電池残量と前記カラー印刷データのデータ量とに基づいて前記カラー印刷データの送信を完了できないと判断すると、前記データ変換手段によって前記カラー印刷データをモノクロデータに変換して前記モノクロ印刷データを生成させ、生成された前記モノクロ印刷データを前記画像形成装置に送信する遠隔操作処理手段とを具備し、前記遠隔操作処理手段は、前記カラー印刷データの送信中に、前記電池残量と残りの前記カラー印刷データのデータ量とに基づいて前記カラー印刷データの送信を完了できないと判断すると、前記データ変換手段によって前記カラー印刷データをモノクロデータに変換して前記モノクロ印刷データを生成させ、生成された前記モノクロ印刷データを前記画像形成装置に送信することを特徴とする。
さらに、本発明の携帯端末において、前記遠隔操作処理手段は、前記カラー印刷データの送信中に前記カラー印刷データの送信を完了できないと判断すると、カラー優先モードであることを知らせるカラー優先通知を前記画像形成装置に送信し、前記モノクロ印刷データの送信が終了すると、残りの前記カラー印刷データを１頁ずつ画像形成装置に送信し、前記画像形成装置によって前記カラー印刷データが存在する頁についてはカラーで印刷させ、前記モノクロ印刷データのみ存在する頁についてはモノクロで印刷させても良い。
また、本発明の制御プログラムは、電池を電源とする携帯端末に、カラーデータで構成されたカラードキュメントをカラー印刷データとして画像形成装置に送信させ、前記画像形成装置によって前記カラー印刷データを印刷させる遠隔操作処理を実行させる制御プログラムであって、前記電池の電池残量を検出し、検出した前記電池残量と前記カラー印刷データのデータ量とに基づいて前記カラー印刷データの送信を完了できないと判断すると、操作手段にカラー優先モードでのモノクロデータへの変更許可を受け付けるデータ量削減案内を表示し、前記操作手段によって前記カラー優先モードでのモノクロデータへの変更許可を受け付けると、前記遠隔操作処理として、前記カラー優先モードであることを知らせるカラー優先通知を前記画像形成装置に送信させると共に、前記カラー印刷データをモノクロデータに変換したモノクロ印刷データを前記画像形成装置に送信させ、前記モノクロ印刷データの送信が終了すると、変換前の前記カラー印刷データを１頁ずつ画像形成装置に送信させ、前記画像形成装置によって前記カラー印刷データが存在する頁についてはカラーで印刷させ、前記モノクロ印刷データのみ存在する頁についてはモノクロで印刷させることを特徴とする。
また、本発明の制御プログラムは、電池を電源とする携帯端末に、カラーデータで構成されたカラードキュメントをカラー印刷データとして画像形成装置に送信させ、前記画像形成装置によって前記カラー印刷データを印刷させる遠隔操作処理を実行させる制御プログラムであって、前記電池の電池残量を検出し、検出した前記電池残量と前記カラー印刷データのデータ量とに基づいて前記カラー印刷データの送信を完了できないと判断すると、前記遠隔操作処理として、前記カラー印刷データをモノクロデータに変換したモノクロ印刷データを生成させ、生成された前記モノクロ印刷データを前記画像形成装置に送信させると共に、前記カラー印刷データの送信中に、前記電池残量と残りの前記カラー印刷データのデータ量とに基づいて前記カラー印刷データの送信を完了できないと判断すると、前記遠隔操作処理として、前記カラー印刷データをモノクロデータに変換して前記モノクロ印刷データを生成させ、生成された前記モノクロ印刷データを前記画像形成装置に送信させることを特徴とする。
さらに、本発明の制御プログラムは、前記カラー印刷データの送信中に前記カラー印刷データの送信を完了できないと判断すると、前記遠隔操作処理として、カラー優先モードであることを知らせるカラー優先通知を前記画像形成装置に送信させ、前記モノクロ印刷データの送信が終了すると、残りの前記カラー印刷データを１頁ずつ画像形成装置に送信させ、前記画像形成装置によって前記カラー印刷データが存在する頁についてはカラーで印刷させ、前記モノクロ印刷データのみ存在する頁についてはモノクロで印刷させても良い。
【発明の効果】
【０００８】
本発明によれば、電池切れによってカラー印刷データの送信を完了できない場合には、データ量を削減させたモノクロ印刷データを送信するため、印刷データの送信中における電池切れリスクを低減させることができるという効果を奏する。
【図面の簡単な説明】
【０００９】
【図１】本発明に係る携帯端末の実施の形態と画像形成装置とからなる画像形成システムのシステム構成図である。
【図２】図１に示す携帯端末の構成を示すブロック図である。
【図３】図１に示す画像形成装置の構成を示すブロック図である。
【図４】図２に示す携帯端末における印刷データ送信動作を示すフローチャートである。
【図５】図２に示す操作部に表示されるデータ量削減案内を示す図である。
【図６】図２に示す携帯端末における逐次モードでの印刷データ送信動作を示すフローチャートである。
【発明を実施するための形態】
【００１０】
以下、図を参照して本発明の実施形態を詳細に説明する。なお、以下の実施形態において、同様の機能を示す構成には、同一の符号を付してある。
【００１１】
図１に示すように、画像形成システムは、携帯端末１と、携帯端末１に無線等のネットワークで接続された画像形成装置２とを備えている。画像形成装置２は、プリンター、複写機、ＭＦＰ（Multifunction Peripheral/Printer/Product）等の印刷機能を有する装置であり、携帯端末１から操作可能であると共に、操作パネル２１からの操作も可能に構成されている。
【００１２】
携帯端末１は、携帯電話、スマートフォン、タブレット端末、ＰＤＡ（Personal Digital Assistant）等の電池を電源とするポータブルデバイスである。図２に示すように、携帯端末１は、操作部１１と、電池残量検出部１２と、記憶部１３と、通信部１４と、制御部１５とを備えている。
【００１３】
操作部１１は、各種情報を表示する表示部と各種操作キーを備えたユーザーインターフェースである。表示部は、表示パネルの表面に透明の感圧センサーが設けられた表示手段及び入力手段として機能するタッチパネルであっても良い。
【００１４】
電池残量検出部１２は、携帯端末１の電池残量を検出し、検出した電池残量を制御部１５に通知する。なお、電池残量の検出の電池の端子間電圧や内部抵抗を測定に基づいて行っても良く、電池に流入出した電流の測定に基づいて行うこともできる。また、電池残量は、フル充電を１００とするパーセント、電力量［Ｗｈ］等の任意の単位で検出することができる。本実施の形態の電池残量検出部１２は、電池残量をパーセントで検出する。
【００１５】
記憶部１３は、半導体メモリやＨＤＤ（Hard Disk Drive）等の記憶手段であり、ユーザーによって蓄積された各種ドキュメントが記憶されていると共に、操作ＡＰＰ１３１が記憶されている。操作ＡＰＰ１３１は、画像形成装置２を遠隔操作するためのアプリケーションプログラムであり、携帯端末１にインストールされている。ユーザーは、通信部１４を介してインターネットなどから操作ＡＰＰ１３１をダウンロードして、携帯端末１にインストールすることができる。
【００１６】
通信部１４は、無線ネットワークを介して、画像形成装置２と各種データを送受信する機能を有する。
【００１７】
制御部１５は、操作部１１、電池残量検出部１２、記憶部１３及び通信部１４にそれぞれ接続され、操作部１１から入力された所定の指示情報に応じて携帯端末１全体の動作制御を実行する。制御部１５は、ＲＯＭ（Read Only Memory）、ＲＡＭ（Random Access Memory）等を備えたマイクロコンピュータ等の情報処理部である。ＲＯＭには携帯端末１の動作制御を行うための制御プログラムが記憶されている。制御部１５は、ＲＯＭに記憶されている制御プログラムを読み出し、制御プログラムをＲＡＭに展開させることで、操作部１１から入力された所定の指示情報に応じて端末全体の制御を行う。
【００１８】
また、操作部１１を介して操作ＡＰＰ１３１の起動操作が行われると、制御部１５は、記憶部１３に記憶された操作ＡＰＰ１３１を読み出して、ＲＡＭに展開させて、操作ＡＰＰ１３１を起動させる。これにより、制御部１５は、操作ＡＰＰ１３１の機能を実現する遠隔操作処理部１５１及びデータ変換部１５２として機能する。
【００１９】
遠隔操作処理部１５１は、操作画面を操作部１１に表示し、印刷を行うドキュメントの指定と、印刷実行指示とを受け付ける。そして、遠隔操作処理部１５１は、指定されたドキュメントを印刷データとして通信部１４経由で画像形成装置２に送信する。
【００２０】
データ変換部１５２は、カラーデータで構成されたドキュメントをグレースケールのモノクロデータに変換するデータ変換処理を実行する。
【００２１】
次に、図３を参照して、画像形成装置２について説明する。画像形成装置２は、ＭＦＰ（Multifunction Printer）であり、操作パネル２１と原稿読取部２２と記憶部２３と画像処理部２４と印刷部２５と通信部２６とファクシミリ部２７と制御部２８とを備えている。
【００２２】
操作パネル２１は、タッチパネルと操作ボタンとを備えている。タッチパネルは、各種操作キーや画像形成状況を表示する表示部の表面に透明の感圧センサーが設けられており、表示手段及び入力手段として機能する。タッチパネルは、表示面へのタッチ操作を検知して、タッチ操作が検知された位置に対応する信号を出力することで、表示部に表示した操作キーへの操作を受け付ける。また、操作ボタンは、印刷枚数等の数値を入力するためのテンキー、設定情報を初期化させる指示を入力するためのリセットキー、複写動作を停止させるためのストップキー、印刷動作を開始させる出力指示を入力するためのスタートキー等の各種操作キーを備えている。
【００２３】
原稿読取部２２は、図示しない原稿給紙装置により給紙されてきた原稿や、ユーザーによってプラテンガラスに載置された原稿に対して光を照射し、その反射光等を受光して原稿画像を読み取るスキャナーである。
【００２４】
記憶部２３は、半導体メモリやＨＤＤ等の記憶手段であり、原稿読取部２２によって読み取られた画像データや、通信部２６、ファクシミリ部２７によって受信された画像データなどが蓄積される記憶手段である。
【００２５】
画像処理部２４は、画像データに対して所定の画像処理を行う手段である。画像処理部２４では、例えば、拡大縮小処理や、濃度調整、階調調整等の画像改善処理が行われる。
【００２６】
印刷部２５は、記憶部２３に記憶された画像データを印刷する印刷手段である。印刷部２５は、例えば、記憶部２３から読み出した画像データに基づき感光体ドラムの表面に潜像を形成し、トナーによってその潜像をトナー像とする画像形成を行い、その感光体ドラムから記録紙にトナー像を転写させ、そのトナー像を記録紙に定着させて排紙する。
【００２７】
通信部２６は、無線ネットワークを介して携帯端末１と各種データを送受信する機能を有する。他にも、通信部２６は、ＬＡＮ（Local Area Network）ケーブルを介して外部端末と各種データを送受信する機能を有してもよい。
【００２８】
ファクシミリ部２７は、モデムを有し、原稿読取部２２によって読み取られた画像データや、記憶部２３に記憶されている画像データからファクシミリ信号を生成し、生成したファクシミリ信号を公衆回線網経由で送信するファクシミリ送信機能と、公衆回線網経由でファクシミリ信号を受信するファクシミリ受信機能とを備えている。
【００２９】
制御部２８は、操作パネル２１、原稿読取部２２、記憶部２３、画像処理部２４、印刷部２５、通信部２６及びファクシミリ部２７にそれぞれ接続されている。制御部２８は、ＲＯＭ、ＲＡＭ等を備えたマイクロコンピュータ等の情報処理部である。ＲＯＭには画像形成装置２の動作制御を行うための制御プログラムが記憶されている。制御部２８は、ＲＯＭに記憶されている制御プログラムを読み出し、制御プログラムをＲＡＭに展開させることで、装置全体の制御を行う。また、制御部２８は、通信部２６を介して携帯端末１から印刷データを受信すると、遠隔操作受付部２８１として機能し、受信した印刷データを印刷部２５によって印刷する。
【００３０】
次に、本実施の形態の画像形成システムにおける印刷データの送信動作について図４及び図５を参照して詳細に説明する。
まず、携帯端末１において、遠隔操作処理部１５１は、画操作画面を操作部１１に表示し、印刷するドキュメントの指定を操作部１１によって受け付ける（ステップＡ１）。以下、カラーデータで構成されたドキュメント（以下、カラードキュメントと称す）が指定された例について説明する。
【００３１】
遠隔操作処理部１５１は、操作部１１によって印刷指示を受け付けると（ステップＡ２）、指定されたカラードキュメントをカラー印刷データとして送信する際に必要な電池使用量を算出する（ステップＡ３）。印刷データが大きいほど、通信時間も長くなり、電池使用量も増加する。遠隔操作処理部１５１には、単位印刷データ量：Ｘバイト当たりの電池使用量：Ｙ％が予め設定されており、遠隔操作処理部１５１は、カラー印刷データのデータ量に（Ｙ／Ｘ）を乗算することで電池使用量を算出する。
【００３２】
次に、遠隔操作処理部１５１は、電池残量検出部１２によって検出された電池残量と、ステップＡ３で算出した電池使用量とを比較し（ステップＡ４）、電池残量が電池使用量の２倍以上か否かを判断する（ステップＡ５）。そして、ステップＡ５において電池残量が電池使用量の２倍以上である場合には、遠隔操作処理部１５１は、通信部１４によってカラー印刷データを画像形成装置２に送信し（ステップＡ６）、処理を終了する。
【００３３】
ステップＡ５では、電池残量がカラー印刷データのデータ量に応じて決まる送信基準（電池使用量の２倍）以上か否かを判断することで、電池切れになることなく確実にカラー印刷データの送信を完了させることができるか否かを判断している。すなわち、電池残量が電池使用量以上であっても、電池残量検出部１２による電池残量の検出誤差や、通信状況等の外部要因に起因する通信時間の増加によって、送信途中で電池切れになってしまうリスクがある。そこで、ステップＡ５では、余裕をもって電池残量を判断している。なお、電池使用量に乗算する係数は２倍に限らず、１を超える値であればよい。また、電池使用量に所定の値を加算するようにしても良い。
【００３４】
ステップＡ６でのカラー印刷データの送信は、電池切れを想定することなく実行される。画像形成装置２の制御部２８は、通信部２６を介して携帯端末１からカラー印刷データを受信すると、遠隔操作受付部２８１として機能する。そして、遠隔操作受付部２８１は、携帯端末１からのカラー印刷データの受信が完了すると、受信したカラー印刷データを印刷部２５によって印刷する。
【００３５】
ステップＡ５において電池残量が電池使用量の２倍以上でない場合には、遠隔操作処理部１５１は、電池残量が電池使用量以上か否かを判断する（ステップＡ７）。そして、ステップＡ７において電池残量が電池使用量以上である場合には、遠隔操作処理部１５１は、逐次モードによってカラー印刷データを画像形成装置２に送信し（ステップＡ８）、処理を終了する。逐次モードでのカラー印刷データの送信動作は、後述する。
【００３６】
ステップＡ７では、電池残量がカラー印刷データのデータ量に応じて決まる送信不可基準（電池使用量：送信基準＞送信不可基準）以上か否かを判断することで、電池切れになることなくカラー印刷データの送信を完了できる可能性があるか否かを判断している。すなわち、電池残量が電池使用量以上であれば、電池切れになることなくカラー印刷データの送信が完了されるはずであるが、電池残量検出部１２による電池残量の検出誤差や、通信状況等の外部要因に起因する通信時間の増加によって、送信途中で電池切れになってしまうリスクもある。
【００３７】
ステップＡ７において電池残量が電池使用量以上でない場合には、遠隔操作処理部１５１は、カラー印刷データを送信する電力が残っていないと判断し、データ量削減案内を操作部１１に表示する（ステップＡ９）。データ量削減案内は、図５に示すように、印刷データを送信する電力が残っていないことを通知すると共に、モノクロデータへの変更の可否を問い合わせるメッセージ１１１と、カラー優先モードでモノクロデータへの変更許可を受け付ける第１の許可キー１１２と、モノクロ印刷モードでモノクロデータへの変更許可を受け付ける第２の許可キー１１３と、モノクロデータへの変更不許可を受け付ける不許可キー１１４とが配置されている。これにより、ユーザーは、カラー印刷データを送信する電力が残っていないことを認識し、第１の許可キー１１２と、第２の許可キー１１３と、不許可キー１１４といずれかを選択して操作する。
【００３８】
次に、遠隔操作処理部１５１は、不許可キー１１４が操作されたか否かを判断し（ステップＡ１０）、不許可キー１１４の操作を受け付けた場合には、現在の電池残量では、指定されたカラードキュメントの印刷できないことを通知する印刷不可案内を操作部１１に表示し（ステップＡ１１）、処理を終了する。
【００３９】
ステップＡ１０で不許可キー１１４が操作されることなく、第１の許可キー１１２もしくは第２の許可キー１１３が操作された場合には、データ変換部１５２は、カラー印刷データをグレースケールのモノクロデータに変換したモノクロ印刷データを生成する（ステップＡ１２）。そして、遠隔操作処理部１５１は、変換したモノクロ印刷データを送信する際に必要な電池使用量を算出する（ステップＡ１３）。遠隔操作処理部１５１は、ステップＡ３と同様にモノクロ印刷データのデータ量に（Ｙ／Ｘ）を乗算することで電池使用量を算出する。
【００４０】
次に、遠隔操作処理部１５１は、電池残量検出部１２によって検出された電池残量と、ステップＡ１３で算出した電池使用量とを比較し（ステップＡ１４）、電池残量が電池使用量以上か否かを判断する（ステップＡ１５）。そして、ステップＡ１５で電池残量が電池使用量以上でない場合には、遠隔操作処理部１５１は、現在の電池残量では、モノクロに変換してもドキュメントの印刷できないことを通知する印刷不可案内を操作部１１に表示し（ステップＡ１１）、処理を終了する。
【００４１】
ステップＡ１５で電池残量が電池使用量以上である場合には、遠隔操作処理部１５１は、第１の許可キー１１２が操作されたか否かを判断する（ステップＡ１６）。そして、ステップＡ１６で第１の許可キー１１２が操作された場合には、遠隔操作処理部１５１は、カラー優先モードであることを知らせる「カラー優先通知」を通信部１４経由で画像形成装置２に送信すると共に（ステップＡ１７）、ステップＡ１２で変換したモノクロ印刷データを通信部１４経由で画像形成装置２に送信する（ステップＡ１８）。さらに、遠隔操作処理部１５１は、ステップＡ１８のモノクロ印刷データの送信が終了すると、変換前のカラー印刷データを１頁ずつ通信部１４経由で画像形成装置２に電池の電力が許す限り送信する（ステップＡ１９）。ステップＡ７でカラー印刷データを送信する電力が残っていないと判断されているため、ステップＡ１９では、全ての頁を送信することなく、電池切れとなって途中で送信が途絶えてしまう。
【００４２】
画像形成装置２の制御部２８は、通信部２６を介して携帯端末１から「カラー優先通知」を受信すると、遠隔操作受付部２８１として機能する。遠隔操作受付部２８１は、「カラー優先通知」によってカラー優先モードであることを認識し、携帯端末１からのモノクロ印刷データの受信が完了しても、すぐに印刷を開始することなく後続して１頁ずつ送られてくるカラー印刷データを受信する。そして、遠隔操作受付部２８１は、カラー印刷データの受信が途絶えた後、予め設定された所定時間が経過すると、カラー印刷データが存在する頁についてはカラーで印刷し、モノクロ印刷データのみ存在する頁についてはモノクロで印刷する。
【００４３】
ステップＡ１６で第１の許可キー１１２ではなく第２の許可キー１１３が操作された場合には、遠隔操作処理部１５１は、ステップＡ１２で変換したモノクロ印刷データを通信部１４経由で画像形成装置２に送信し（ステップＡ２０）、処理を終了する。
【００４４】
ステップＡ２０でのモノクロ印刷データの送信は、電池切れを想定することなく実行される。画像形成装置２の制御部２８は、通信部２６を介して携帯端末１からモノクロ印刷データを受信すると、遠隔操作受付部２８１として機能する。そして、遠隔操作受付部２８１は、携帯端末１からのモノクロ印刷データの受信が完了すると、受信したモノクロ印刷データを印刷部２５によって印刷する。
【００４５】
次に、ステップＡ８の逐次モードによる印刷データの送信動作について図６を参照して詳細に説明する。
遠隔操作処理部１５１は、１頁のカラー印刷データを通信部１４経由で画像形成装置２に送信し（ステップＢ１）、全頁の送信が完了したか否かを判断する（ステップＢ２）。ステップＡ３で全頁の送信が完了した場合には、逐次モードによる印刷データの送信動作を終了する。
【００４６】
ステップＡ３で全頁の送信が完了していない場合には、遠隔操作処理部１５１は、残りのカラー印刷データを送信する際に必要な電池使用量を算出する（ステップＢ３）。次に、遠隔操作処理部１５１は、電池残量検出部１２によって検出された電池残量と、ステップＢ３で算出した電池使用量とを比較し（ステップＢ４）、電池残量が電池使用量の以上か否かを判断する（ステップＢ５）。そして、ステップＢ５において電池残量が電池使用量以上である場合には、遠隔操作処理部１５１は、ステップＢ１に戻って次の１頁のカラー印刷データを通信部１４経由で画像形成装置２に送信する。
【００４７】
ステップＢ５において電池残量が電池使用量未満である場合には、データ変換部１５２は、残りのカラー印刷データをグレースケールのモノクロデータに変換したモノクロ印刷データを生成する（ステップＢ６）。そして、遠隔操作処理部１５１は、カラー優先モードであることを知らせる「カラー優先通知」を通信部１４経由で画像形成装置２に送信すると共に（ステップＢ７）、ステップＢ６で変換したモノクロ印刷データを通信部１４経由で画像形成装置２に送信する（ステップＢ８）。さらに、遠隔操作処理部１５１は、ステップＢ８のモノクロ印刷データの送信が終了すると、変換前の残りのカラー印刷データを１頁ずつ通信部１４経由で画像形成装置２に電池の電力が許す限り送信する（ステップＢ９）。ステップＢ５で残りのカラー印刷データを送信する電力が残っていないと判断されているため、ステップＢ９では、残りのカラー印刷データの全てを送信することなく、電池切れとなって途中で送信が途絶えてしまう。
【００４８】
画像形成装置２の制御部２８は、通信部２６を介して携帯端末１からカラー印刷データを受信すると、遠隔操作受付部２８１として機能する。そして、遠隔操作受付部２８１は、携帯端末１から全頁のカラー印刷データの受信が完了すると、受信した全頁のカラー印刷データを印刷部２５によって印刷する。遠隔操作受付部２８１は、カラー印刷データを頁単位で受信している途中で「カラー優先通知」を受信すると、カラー優先モードであることを認識し、携帯端末１からのモノクロ印刷データの受信が完了しても、すぐに印刷を開始することなく後続して１頁ずつ送られてくるカラー印刷データを受信する。そして、遠隔操作受付部２８１は、カラー印刷データの受信が途絶えた後、予め設定された所定時間が経過すると、カラー印刷データが存在する頁についてはカラーで印刷し、モノクロ印刷データのみ存在する頁についてはモノクロで印刷する。
【００４９】
なお、本実施の形態では、電池使用量と電池残量とを比較するように構成したが、電池残量に基づいて送信可能なデータ量を算出して、カラー印刷データと比較するようにしても良い。また、電池残量とカラー印刷データとを共通の第３の指標に換算して比較するようにしても良い。
【００５０】
また、データ量削減案内によってモノクロデータへの変更許可もしくは変更不許可を受け付けるように構成したが、モノクロデータへの変更許可もしくは変更不許可を事前に登録しておくようにしても良い。また、モノクロデータへの変更許可もしくは変更不許可をユーザー毎や、カラードキュメントの種類毎に事前に登録できるように構成すると好適である。
【００５１】
以上説明したように、本実施の形態によれば、電池を電源とし、カラーデータで構成されたカラードキュメントをカラー印刷データとして画像形成装置２に送信し、画像形成装置２によってカラー印刷データの印刷を実行させる携帯端末１であって、電池の電池残量を検出する電池残量検出部１２と、カラー印刷データをモノクロデータに変換してモノクロ印刷データを生成するデータ変換部１５２と、電池残量検出部１２によって検出された電池残量とカラー印刷データのデータ量とに基づいてカラー印刷データの送信を完了できないと判断すると、データ変換部１５２によってカラー印刷データをモノクロデータに変換してモノクロ印刷データを生成させ、生成されたモノクロ印刷データを画像形成装置２に送信する遠隔操作処理部１５１とを備えている。
この構成により、電池切れによってカラー印刷データの送信を完了できない場合には、データ量を削減させたモノクロ印刷データを送信するため、印刷データの送信中における電池切れリスクを低減させることができる。
【００５２】
さらに、本実施の形態は、カラー印刷データの送信が完了できないと判断された場合に、モノクロ印刷モードでのモノクロデータへの変更許可を受け付けるデータ量削減案内を表示する操作部１１を備え、遠隔操作処理部１５１は、操作部１１よってモノクロ印刷モードでのモノクロデータへの変更許可を受け付けると、データ変換部１５２によって生成された前記モノクロ印刷データを前記画像形成装置に送信し、前記画像形成装置によって前記モノクロ印刷データの印刷を実行させる。
この構成により、ユーザーがモノクロ印刷モードでのモノクロデータへの変更を許可した場合には、印刷データの送信中における電池切れリスクを低減させ、ユーザーが許可したモノクロの印刷物を得ることができる。
【００５３】
さらに、本実施の形態は、カラー印刷データの送信が完了できないと判断された場合に、カラー優先モードでのモノクロデータへの変更許可を受け付けるデータ量削減案内を表示する操作部１１を備え、遠隔操作処理部１５１は、操作部１１よってカラー優先モードでのモノクロデータへの変更許可を受け付けると、カラー優先モードであることを知らせるカラー優先通知を画像形成装置２に送信すると共に、データ変換部１５２によって生成されたモノクロ印刷データを画像形成装置２に送信し、モノクロ印刷データの送信が終了すると、変換前のカラー印刷データを１頁ずつ画像形成装置２に送信し、画像形成装置２によってカラー印刷データが存在する頁についてはカラーで印刷させ、モノクロ印刷データのみ存在する頁についてはモノクロで印刷させる。
この構成により、ユーザーがカラー優先モードでのモノクロデータへの変更を許可した場合には、印刷データの送信中における電池切れリスクを低減させ、可能な限りカラーで構成された印刷物を得ることができる。
【００５４】
さらに、本実施の形態において、遠隔操作処理部１５１は、カラー印刷データの送信中に、電池残量と残りのカラー印刷データのデータ量とに基づいてカラー印刷データの送信を完了できないと判断すると、データ変換部１５２によってカラー印刷データをモノクロデータに変換してモノクロ印刷データを生成させ、生成された前記モノクロ印刷データを前記画像形成装置に送信する。
この構成により、カラー印刷データの送信中に電力が大きく消耗され、電池残量が酸くなってなった場合でも、印刷データの送信中における電池切れリスクを低減させる。
【００５５】
さらに、本実施の形態において、遠隔操作処理部１５１は、カラー印刷データの送信中にカラー印刷データの送信を完了できないと判断すると、カラー優先モードであることを知らせるカラー優先通知を画像形成装置２に送信し、モノクロ印刷データの送信が終了すると、残りの前記カラー印刷データを１頁ずつ画像形成装置に送信し、画像形成装置２によってカラー印刷データが存在する頁についてはカラーで印刷させ、モノクロ印刷データのみ存在する頁についてはモノクロで印刷させる。
この構成により、カラー印刷データの送信中に電力が大きく消耗され、電池残量が酸くなってなった場合でも、印刷データの送信中における電池切れリスクを低減させ、可能な限りカラーで構成された印刷物を得ることができる。
【００５６】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【符号の説明】
【００５７】
１  携帯端末
２  画像形成装置
１１  操作部
１２  電池残量検出部
１３  記憶部
１４  通信部
１５  制御部
２１  操作パネル
２２  原稿読取部
２３  記憶部
２４  画像処理部
２５  印刷部
２６  通信部
２７  ファクシミリ部
２８  制御部
１１１  メッセージ
１１２  第１の許可キー
１１３  第２の許可キー
１１４  不許可キー
１３１  操作ＡＰＰ
１５１  遠隔操作処理部
１５２  データ変換部
２８１  遠隔操作受付部
【図１】
0006054363.tif 000002
【図２】
0006054363.tif 000003
【図３】
0006054363.tif 000004
【図４】
0006054363.tif 000005
【図５】
0006054363.tif 000006
【図６】
0006054363.tif 000007